(57)【特許請求の範囲】
【請求項１】
バスタブに接続された追焚用の配水管と、このバスタブの水を配水管を介して循環させるポンプと、この配水管を通す熱交換器と、この熱交換器に熱を供給する熱供給部と、この配水管に接続されバスタブの水位を検出する圧力センサと、配水管の水流を検出する水流センサと、上記ポンプを駆動して配水管の水を循環させるポンプ制御手段と、上記ポンプ駆動時に少なくとも水流センサによる水流検出があったことを条件として上記熱供給部を作動させる熱供給部制御手段と、を備えた風呂用追焚装置において、
（イ）上記圧力センサにより検出される水位が閾値以下であるか否かを判断する水位判断手段と、
（ロ）上記ポンプ駆動時に水流センサにより水流が検出されない場合に上記水位判断手段が事前に肯定判断していないことを条件としてポンプまたは水流センサの故障有りと判断し、上記ポンプ駆動時に水流センサにより水流が検出されない場合であっても、上記水位判断手段が事前に一旦肯定判断した場合には、故障無しと判断する故障判断手段と、
を有することを特徴とする風呂用追焚装置。
【請求項２】
さらに、
（i）上記圧力センサにより水位の上昇を検出した時に上記ポンプ駆動による配水管の水の循環を伴って、上記熱供給部を作動させるような自動追焚モードを設定する自動追焚モード設定手段と、
（ii）上記故障判断手段により故障無しと判断した場合に上記自動追焚モード設定状態を保持する自動追焚モード設定保持手段と、
（iii）上記故障判断手段により故障であると判断した場合に上記自動追焚モード設定状態を解除する自動追焚モード設定解除手段と、
を有することを特徴とする請求項１に記載の風呂用追焚装置。
【請求項３】
さらに、
（i）上記圧力センサにより水位の上昇を検出した時に上記ポンプ駆動による配水管の水の循環を伴って、上記熱供給部を作動させるような自動追焚モードを設定する自動追焚モード設定手段と、
（ii）上記自動追焚モード設定後に上記ポンプを駆動させても水流センサにより水流が検出されない場合、上記自動追焚モード設定状態を解除する自動追焚モード設定解除手段と、
（iii）上記故障判断手段により故障であると判断した場合に故障表示をする故障表示手段と、
を有することを特徴とする請求項１に記載の風呂用追焚装置。
【発明の詳細な説明】
【０００１】
【産業上の利用分野】
本発明は、風呂用追焚装置に関する。
【０００２】
【従来の技術】
従来、風呂用ガス追焚装置は、バスタブに接続された追焚用の配水管と、このバスタブの水を配水管を介して循環させるポンプと、この配水管を通す熱交換器と、この熱交換器に熱を供給するガスバーナ（熱供給部）と、この配水管に接続されバスタブの水位を検出する圧力センサと、配水管の水流を検出する水流センサと、上記ポンプを駆動して配水管の水を循環させるポンプ制御手段と、上記ポンプ駆動時に少なくとも水流センサによる水流検出があったことを条件として上記ガスバーナからのガスの燃焼を制御する燃焼制御手段と、を備えていた。
また、上記追焚装置は、故障判断手段を備え、この故障判断手段は、圧力センサがバスタブに水があることを示しているにも拘わらずポンプを回しても上記水流センサにより水流が検出されない場合、圧力センサ、ポンプあるいは水流センサの故障と判断して追焚は実行せず、ポンプを停止し、故障表示を実行していた。また、自動追焚モードが設定されている場合は、エラーの解除を実行し、自動運転モードや自動追焚モードを再設定しなければならなかった。なお、この自動追焚モードでは、予めバスタブで湯を設定温度より低い温度に維持しておき、圧力センサによりバスタブ水位の上昇を検出した時、すなわち人がバスタブに入ったことを検出した時に、ガスバーナによりバスタブの湯を設定温度まで追焚する。また、自動運転モードではバスタブへの自動湯張り（設定水位までの自動注湯）と自動追焚（設定温度までの追焚と保温）を行う。
【０００３】
【発明が解決しようとする課題】
ところで、バスタブからの湯のくみ出しや排水の時に「水くずれ」が起こる場合がある。この「水くずれ」とは、バスタブの水位が循環金具上端付近まで下がってきた場合に、配水管の水がバスタブに流出する現象を指す。なお、この「水くずれ」が一旦起きた後では、配水管に設置された圧力センサの出力は、循環金具の上端より上の水位に応じた圧力を示すが、実際の水位は循環金具の上端より下である。したがって、水くずれが起きると、ポンプを駆動させてもバスタブの湯は配水管内を循環せず、水流センサは水流を検出しない。このため、上記故障判断手段は、圧力センサやポンプや水流センサが正常であるにもかかわらず故障と判断していた。このように、故障判断が適確でなく、故障判断後の無駄な処理、例えば前述したようなエラーに対する対応や自動追焚モードの再設定が必要であった。
【０００４】
【課題を解決するための手段】
本発明の要旨は、図１に示すように、バスタブに接続された追焚用の配水管と、このバスタブの水を配水管を介して循環させるポンプ１と、この配水管を通す熱交換器２と、この熱交換器２に熱を供給する熱供給部３と、この配水管に接続されバスタブの水位を検出する圧力センサ４と、配水管の水流を検出する水流センサ５と、上記ポンプ１を駆動して配水管の水を循環させるポンプ制御手段６と、上記ポンプ駆動時に少なくとも水流センサ５による水流検出があったことを条件として上記熱供給部３を作動させる熱供給部制御手段７と、を備えた風呂用追焚装置において、上記圧力センサ４により検出される水位が閾値以下であるか否かを判断する水位判断手段８と、上記ポンプ駆動時に水流センサ５により水流が検出されない場合に上記水位判断手段８が事前に肯定判断していないことを条件としてポンプ１または水流センサ５の故障有りと判断し、上記ポンプ駆動時に水流センサ５により水流が検出されない場合であっても、上記水位判断手段８が事前に一旦肯定判断した場合には、故障無しと判断する故障判断手段９と、を有することを特徴とする。
請求項２では、（i）上記圧力センサにより水位の上昇を検出した時に上記ポンプ駆動による配水管の水の循環を伴って、上記熱供給部を作動させるような自動追焚モードを設定する自動追焚モード設定手段と、（ii）上記故障判断手段により故障無しと判断した場合に上記自動追焚モード設定状態を保持する自動追焚モード設定保持手段と、（iii）上記判断手段により故障であると判断した場合に上記自動追焚モード設定状態を解除する自動追焚モード設定解除手段と、を有することを特徴とする。
請求項３では、（i）上記圧力センサにより水位の上昇を検出した時に上記ポンプ駆動による配水管の水の循環を伴って、上記熱供給部を作動させるような自動追焚モードを設定する自動追焚モード設定手段と、（ii）上記自動追焚モード設定後に上記ポンプを駆動させても水流センサにより水流が検出されない場合、上記自動追焚モード設定状態を解除する自動追焚モード設定解除手段と、（iii）上記故障判断手段により故障であると判断した場合に故障表示をする故障表示手段と、を有することを特徴とする。
【０００５】
【作用】
請求項１では、ポンプ駆動時に、水流が検出されない場合、それより前に圧力センサにより検出される水位が閾値以下になっていないことを条件として、故障と判断するので、水くずれが生起しても故障と判定されず、無駄な故障後の処置をする必要がない。ここで閾値は水くずれが生じる可能性がある水位またはそれより若干高い水位に設定される。なお、一旦水くずれが起きると圧力センサの出力は閾値より高い水位を表す。しかし、上記のように故障判断は、現在の圧力センサからの水位情報を基準とせず上記水くずれ前に水位が閾値以下となっていたか否かを基準とするので、水くずれの有無を基にした故障判断を正確に行うことができる。
請求項２では、水くずれの起きた場合には、故障と判断されずに自動追焚設定状態は保持されるので、再給湯時に自動追焚設定状態を再設定することなくスムーズに自動追焚を再開できる。
請求項３では、水くずれの起きた場合には、故障と判断されず、ユーザを惑わすことがない。
【０００６】
【実施例】
以下、本発明の一実施例を図２〜図６に基づいて説明する。
図２は風呂用ガス給湯、追焚装置の概略構成を示している。この装置は給湯部２０と追焚部３０とを備えている。
上記給湯部２０は、ガスバーナ２１（熱供給部）と、その上部に配置されガスバーナ２１からの燃焼熱を受ける熱交換器２２とを備えている。同様に追焚部３０は、ガスバーナ３１と、その上部に配置されガスバーナ３１からの燃焼熱を受ける熱交換器３２とを備えている。
給湯部２０の上記熱交換器２２には配水管２５が通っている。配水管２５の入口部２５ａ付近にフローセンサ２３が設置されている。配水管２５の入口部２５ａからの水は熱交換器２２を通るときに加熱されて、出湯栓２５ｂに向かう。配水管２５は途中で分岐されていてその分岐配水管３５がバスタブ３３に接続されている。
【０００７】
配水管３５には上流より注湯電磁弁４０及び圧力センサ４２が設けられている。この配水管３５は下流側で２つに分岐しており、この分岐管３５ａ、３５ｂの端はバスタブ３３の側壁内面に設置された循環金具３７に接続されている。これら分岐管３５ａ、３５ｂは追焚用の配水管を構成している。圧力センサ４２は、循環金具３７より高い位置にある。一方の分岐管３５ａは追焚部３０の上記熱交換器３２を通っている。なお、この分岐管３５ａには、風呂温度センサ４３が設置されている。他方の分岐管３５ｂには、水流センサ４４及びポンプ３６が設けられている。
【０００８】
上記各種センサ２３、４２、４３、４４等からの検出信号およびリモートコントローラ６０等に設置された、温度設定器からの設定温度情報、自動運転ボタン（自動運転モード設定手段）からの自動運転指令信号及び自動追焚ボタン（自動追焚モード設定手段）からの自動追焚指令信号は、コントロールユニット５０のマイクロコンピュータ５１に入力される。
マイクロコンピュータ５１は、故障等の表示をさせるよう表示器７０（故障表示手段）に表示信号を出力する。なお、故障表示として故障ランプの点灯、点滅、ブザーによる警報等いずれであってもよい。
【０００９】
さらに、マイクロコンピュータ５１は、リモートコントローラ６０からの上記自動運転指令信号及び上記自動追焚指令信号に応答して、自動運転モードと自動追焚モードをそれぞれ選択する。自動運転モードが選択されると、注湯電磁弁４０が開かれ、給湯部２０からの湯が、配水管３５の２つの分岐管３５ａ、３５ｂを介してバスタブ３３に設定水位まで湯張りされる。この湯張時には、湯温はリモートコントローラ６０で設定される最終設定温度に制御される。バスタブ３３の検出温度が上記最終設定温度を下回った場合、追焚部３０のポンプ３６によりバスタブ３３の湯を配水管３５を通して循環させた状態でガスバーナ３１を燃焼させる。すなわち、追焚をする。これによりバスタブ３３を最終設定温度に維持する。
さらに、自動追焚モードでは、上記湯張時には、湯温は初期設定温度（リモートコントローラ６０で設定される最終設定温度より１．５°低い）に制御される。そして、使用者の入浴時の水位上昇を上記圧力センサ４２により検出すると、バスタブ３３の温度が初期設定温度から最終設定温度まで上昇するように追焚する。これにより、入浴初期のやや低めの湯が徐々にユーザー所望の温度まで高められる。
【００１０】
以下に、マイクロコンピュータ５１で実行される自動運転モード、自動追焚モード、故障判断を含むルーチンを図３、図４のフロチャートおよび図６に基づいて詳しく説明する。
風呂用ガス給湯、追焚装置のメイン運転スイッチ（図示しない）がオンされるとこのルーチンは開始される。ステップ１０１で後述するフラグＡ、フラグＢ、フラグＣをクリアする。ステップ１０２で自動運転ボタン（図示しない）がオンされたか否か、つまり自動運転指令信号が入力されたか否かを判断する。自動運転ボタンがオンされるまでステップ１０２で否定判断を繰り返しながら待機している。自動運転ボタンがオンされるとステップ１０２で肯定判断しステップ１０３に進む。ステップ１０３でフラグＣをセットする。このフラグＣは自動運転ボタンがオンされた事実を示している。さらに、自動運転を示すランプ（図示しない）を点灯させる。次にステップ１０４で自動追焚ボタン（図示しない）がオンされたか否か、すなわち自動追焚指令信号が入力されたか否かを判断する。ステップ１０４で肯定判断した場合、ステップ１０５でフラグＡをセットする。このフラグＡは、自動追焚ボタンがオンされ自動追焚モードが選ばれた事実を示している。さらに、自動追焚ランプ（図示しない）をオンする。これにより、自動追焚モードが選択されたことをユーザに報知する。次にステップ１０６に進む。
ステップ１０４で否定判断した場合、ステップ１０５をスキップしてステップ１０６に進む。この場合自動運転ボタンのみオンされており、フラグＣのみがセットされている。これにより、自動運転モードが選択されたことになる。
【００１１】
次のステップ１０６ではフラグＡがセットされているか否かを判断する。ステップ１０６で肯定判断した場合、つまり自動追焚モードが設定された場合、ステップ１０７でユーザ設定による最終設定温度Ｔ０よりα（例えば１．５℃）だけ低い初期設定温度Ｔ１（＝Ｔ０ーα）を演算し、これを後述のステップ１１０での判断のための設定温度Ｔｘとする。ステップ１０６で否定判断した場合には、ステップ１０８で上記最終設定温度Ｔ０をステップ１１０での判断のための設定温度Ｔｘとする。
【００１２】
ステップ１０９で前述した注湯制御とこの注湯に伴う補助的な追焚制御を実行する。次にステップ１１０で設定水位、設定温度Ｔxに達したか否かを判断する。ステップ１１０で否定判断した場合、ステップ１０９に戻る。ステップ１１０で肯定判断するまでステップ１０９を繰り返し実行する。
【００１３】
次にステップ１１１で後述するフラグＰをクリアする。ステップ１１２で圧力センサ４２の出力を読み込んで前回のルーチンで検出した圧力センサ４２の出力と比較して、一致していない場合圧力変化有りと判断し、一致している場合圧力変化無しと判断する。ステップ１１２で肯定判断した場合、すなわち圧力変化有りと判断した場合、ステップ１１３でフラグＰをセットする。フラグＰは圧力変化、すなわち水位変化が有った事実を示している。ステップ１１４で上記圧力変化が水位の上昇を示すものか降下を示すものかを判断する。具体的には今回の圧力センサ４２の出力が前回の圧力センサ４２の出力より大きい場合、水位上昇と判断し、今回の圧力センサ４２の出力が前回の圧力センサ４２の出力より小さい場合、水位降下と判断する。ステップ１１４で肯定判断した場合、すなわち水位降下と判断した場合、ステップ１１５でこの圧力センサ４２の出力に対応する検出水位が閾値Ｓ以下か否かを判断する。この閾値Ｓは、バスタブ３３の循環金具３７の上端位置より若干高い水位に設定されており、水くずれが起きる可能性のある水位またはこれより若干高い水位である。このステップ１１５で肯定判断した場合は、次のステップ１１６でフラグＢをセットし、ステップ１１０に戻る。このフラグＢは、排水やくみ出しの過程で水位が降下して圧力センサ４２の出力が一旦は閾値Ｓに至ったことを意味する。
【００１４】
上記フラグＢをなぜセットするのか、その理由を、図６に基づいて説明をする。図６は、排水等により水くずれが起きる時の圧力センサ４２の経時的な出力変化を示している。排水が開始されると、最初はバスタブ３３での水位に比例して圧力センサ４２の出力は経時的に降下する。しかし、循環金具３７の上端とほぼ等しい水位で最低出力レベルＰ０に達して以降は、圧力センサ４２の出力は水位と比例しなくなる。さらに詳しく言えば、圧力センサ４２の出力が水位と比例しなくなる場合は２つある。一つは水くずれが起きない場合で、水位が降下しても最低出力レベルＰ０を維持する。もう一つは水くずれが起きた場合で、圧力センサ４２の出力が最低出力レベルＰ０からあるレベルまで上昇して安定する。この安定レベルは水くずれの度合によって決まる。このように実際の水位が下がり続け循環金具３７の上端を下回りはじめると、圧力センサ４２の出力は実際の水位を正確に表さなくなる。そこで、後述の故障判断のために、検出水位が一旦上記閾値Ｓ以下になった場合は、フラグＢをセットすることにより水くずれの可能性があることを記憶しておくのである。
【００１５】
ステップ１１５で否定判断した場合、つまり圧力センサ４２の値が閾値Ｓ以下の値をとらなかった場合、循環金具３７より上での水位の変化にしか過ぎず水くずれの心配はないので、フラグＢはセットされずステップ１１２に戻る。
【００１６】
ステップ１１２で否定判断した場合、すなわち水位が安定し圧力変化が検出されない場合、ステップ１１７でフラグＰがセットされているか否かを判断する。ステップ１１７で否定判断した場合、すなわち水位が継続して安定していると判断した場合、ステップ１１８で３０分経過したか否かを判断し、否定判断した時にはステップ１１２に戻り、肯定判断した場合にはステップ１０９に戻る。ステップ１１８直前のタイマ起動、ステップ１１８直後のタイマクリアのステップは図示を略してある。その結果、水位安定状態では、３０分毎にステップ１０９、１１０を実行することになる。ステップ１１７で肯定判断した場合、すなわち水位の変化があった場合、ステップ１１９に進む。ステップ１１９ではフラグＢがセットされているか否かを判断する。ステップ１１９で否定判断した場合、すなわち、水くずれが起きる可能性がない場合、上記ステップ１０９に戻る。
ステップ１１９で肯定判断した場合、すなわち水くずれの可能性がある場合、ステップ１２０でフラグＢ、フラグＣをクリアしてステップ１２１で自動ランプをオフし、ステップ１０２に戻り自動スイッチがオンされるまで待機する。
ステップ１１４で否定判断した場合、つまり水位が上昇した場合、ステップ１２２でフラグＡがセットされているか否かを判断する。これは、自動追焚モードか自動運転モードであるかを判断している。ステップ１２２で否定判断した場合、すなわち自動運転モードである場合、ステップ１１２に戻る。
【００１７】
ステップ１２２で肯定判断した場合、すなわち自動追焚モードである場合、図４のステップ２０１に進む。ステップ２０１でポンプ３６をオンにする。これにより、配水管３５中の水が循環される。ステップ２０２で１分タイマをスタートさせる。この１分タイマはタイマスタートから１分の時間経過を測定するためのものである。次のステップ２０３で水流センサ４４がオンしているか否かを判断する。これは、ポンプ３６の起動初期には配水管３５への空気の混入のためポンプ３６が回転しているにも拘わらず水流センサ４４がオフを示す場合があるためである。ステップ２０３で否定判断した場合、ステップ２０４で上記１分タイマスタートから１分が経過したか否かを判断する。ステップ２０４で否定判断した場合、ステップ２０３に戻る。これにより、水流センサ４４がオフでも最大１分間はポンプ３６を回し続け配水管への空気の混入を除去しようとする。
【００１８】
ステップ２０３で肯定判断した場合、ステップ２０５で３０秒タイマをスタートさせる。この３０秒タイマは３０秒の時間経過を測定するためのものである。次のステップ２０６で追焚燃焼を開始する。ステップ２０７で上記３０秒タイマがタイムアップしたか否かを判断する。ステップ２０７で否定判断した場合、ステップ２０８で水流センサ４４がオンであるか否かを判断する。これにより、３０秒タイマの時間計測中の追焚の間にも水流センサ４４がオンであることを常に監視している。ステップ２０８で肯定判断した場合、ステップ２０７に戻る。これにより、水流センサ４４がオンである限り３０秒間は追焚が実行される。
【００１９】
ステップ２０７で肯定判断した場合、すなわち３０秒間追焚実行後、ステップ２０９で設定温度ＴＸを最終設定温度Ｔ０に設定する。次にステップ２１０で風呂温度センサ４３により湯温を検出し、この検出湯温が設定温度ＴＸに達した否かを判断する。ステップ２１０で否定判断した場合、ステップ２１１で水流センサ４４がオンしたか否かを判断する。これにより、検出湯温が最終設定温度Ｔ０に一致するよう追焚している間にも水流センサ４４がオンであることを常に監視できる。ステップ２１１で肯定判断した場合、ステップ２１０に戻る。
追焚により湯温が最終設定温度Ｔ０に達して、ステップ２１０で肯定判断した場合、ステップ２１２で追焚燃焼を停止し、ステップ２１３でポンプ３６をオフし、ステップ１０９に戻る。これにより、使用者が入浴すると少し低めの初期設定温度Ｔ１から、まず３０秒追焚後、使用者の設定した最終設定温度Ｔ０にまで追焚される。
【００２０】
ステップ２０８、ステップ２１０で否定判断した場合、すなわち追焚実行中にポンプ３６がオンであるにも拘わらず水流センサ４４がオフである場合、ステップ２１４では追焚燃焼を停止させ、ステップ２０４に進む。
ステップ２０４で肯定判断した場合、すなわちポンプ３６を１分間作動させても水流センサ４４がオフである状態が発生している場合、配水管への空気の混入以外の他の故障や水くずれが起きたと考えられるので、ステップ２１５でポンプ３６をオフする。次のステップ２１６でフラグＢがセットされているか否かを判断する。このフラグＢは、前述したように圧力センサ４２の出力が閾値Ｓに一旦達し、現在水くずれ状態である可能性を示している。したがって、ステップ２１６で否定判断した場合、水くずれの可能性はないので、ステップ２１７でフラグＡ、フラグＣをクリアする。このフラグＡのクリアにより、自動追焚設定状態を解除する（自動追焚モード設定解除手段）。ステップ２１８で自動追焚ランプ、自動運転ランプをともにオフする。次のステップ２１９でポンプ不動作エラー、水流センサエラー、圧力センサエラーの表示を表示器７０に出力し、機器停止等の処理を実行する。これにより、水くずれを故障と判断することなく正確に故障を認識でき、ポンプ３６、水流センサ４４の点検、修理を含む後の処理を速やかに行うことができる。次のステップ２２０でメイン運転スイッチがオンであるか否かを判断する。次のステップ２２０で否定判断するまでステップ２１９での故障表示を実行する。ステップ２２０で否定判断した場合、このルーチンを終える。
【００２１】
ステップ２１６で肯定判断した場合、現在水くずれ状態である可能性を示している。したがって通常の排水時に水くずれが起きた場合であると判断できるので、ステップ２２１でフラグＣをクリアし、ステップ２２２で自動ランプをオフにする。しかし、フラグＡについてはその状態を保持する。したがって、フラグＡがセットされている場合、すなわち自動追焚モードが設定されている場合には、その設定状態は保持される（自動追焚モード設定保持手段）。
このように、通常排水時の場合は、フラグＡをクリアしないので、再給湯時に自動追焚ボタンを再びオン操作する手間を省くことができる。また、従来のように故障表示されないので、間違って故障後の処理をすることもない。
【００２２】
本発明の他の実施例を図５に基づいて詳しく説明する。図５のフローチャートは図４のステップ２１５からステップ２２２の代わりに実行されるルーチンを示している。図５の中で図４と同番号を付したステップについての詳しい説明は省略する。
ステップ２１５でポンプ３６をオフし、次にステップ２１７でフラグＡ、フラグＢをクリアし、ステップ２１８で自動追焚ランプ、自動ランプをオフする。次に、ステップ２１６でフラグＢがセットされているか否かを判断する。ステップ２１６で否定判断した場合、ステップ２１９で故障表示を実行し、ステップ２２０に進む。ステップ２１６で肯定判断した場合、ステップ３０１でフラグＢをクリアする。
上述した、図５のルーチンを実行する場合には、図３のステップ１２０でフラグＢ、ＣとともにフラグＡもクリアし、ステップ１２０でさらに自動ランプとともに自動追焚ランプもオフする。このように、本実施例では、水くずれが起きた時に、自動追焚モードが解除される（自動追焚モード設定解除手段）。
【００２３】
なお、本発明は上記実施例に拘束されず種々の態様が可能である。上記実施例では、自動追焚モードにおいて、湯張り時の湯温を低く設定したがこのように低く設定しなくてもよい。この場合、水位上昇を感知した場合に追焚をする。
また、上記水流センサ４４は水流に応じてパルス出力するものでもよいし、水流に応答してオンになるものであってもよい。
【００２４】
【発明の効果】
請求項１では、バスタブからのくみ出し、排水に伴う水くずれが生起した場合には、ポンプ駆動時に配水管での水流検出がなくても故障と判定されず、水くずれがないにもかかわらず水流検出がない場合にのみ故障判断がなされるので、無駄な故障後処理をする必要がない。また、圧力センサからの出力に基づいて事前に水位が閾値Ｓ以下になったか否かを水くずれ発生の有無の判定基準にするので、故障判断を正確に行うことができる。
請求項２では、通常の排水時には、自動追焚制御モードは保持されるので、再給湯時に自動追焚モードの再設定を省略することができる。
請求項３では、水くずれの起きた場合には、故障と判断されず、ユーザを惑わすことがない。
【図面の簡単な説明】
【図１】本発明の基本的構成を示す構成図である。
【図２】本発明の一実施例を示す風呂用給湯追焚装置の概略図である。
【図３】同実施例のマイクロコンピュータで実行される給湯、追焚のルーチンの前半部を示すフローチャートである。
【図４】同ルーチンの後半部を示すフローチャートである。
【図５】図３の一部に代わるルーチンを示すフローチャートである。
【図６】排水時の圧力センサの出力変化を示す図である。
【符号の説明】
１  ポンプ
２  熱交換器
３  熱供給部
４  圧力センサ
５  水流センサ
６  ポンプ制御手段
７  熱供給部制御手段
８  水位判断手段
９  故障判断手段
３０  追焚部
３１  ガスバーナ（熱供給部）
３２  熱交換器
３３  バスタブ
３５ａ、３５ｂ  追焚用の配水管
３６  ポンプ
４２  圧力センサ
４４  水流センサ
５０  コントロールユニット
６０  リモートコントローラ（自動追焚モード設定手段）
７０  表示器（故障表示手段）
【図１】
0003643392.tif 000002
【図２】
0003643392.tif 000003
【図３】
0003643392.tif 000004
【図４】
0003643392.tif 000005
【図５】
0003643392.tif 000006
【図６】
0003643392.tif 000007